(57)【要約】【課題】  強度、耐性を向上させるとともに、印刷面を保護し、高い強度、耐性を向上させる。【解決手段】  一方主面に印刷が施されている表紙材Ｎ１と、この表紙材Ｎ１の両端部が差し込まれる一対の袋状の空間を構成する第１及び第２の表紙等差込部２、３とを備えたノートカバー１と、複数枚のページ要素からなるノート本体Ｎ２とが一体に綴じられている。上記ノートカバー１には、第１及び第２の表紙等差込部２、３に、切目５、７ａ、７ｂや穴部６からなる開口が形成され、第１及び第２の表紙等差込部２、３の内側空間がポケットとして構成されている。そして、表紙材Ｎ１の表面側には、発注者による任意のデザインからなるオリジナル性の高い印刷が施されている。【選択図】  図４
2005035192.tif 000002
【特許請求の範囲】
【請求項１】
軟質合成樹脂シート又は硬質合成樹脂シートからなるカバー本体と、
該カバー本体の一方主面に、上記カバー本体との間で冊子体の表紙、裏表紙が差し込まれる一対の袋状の空間を構成する第１及び第２の差込部とを備えてなり、
上記第１及び第２の差込部のいずれか、或いは両方に、幅方向に形成される切目や切り抜きからなる開口部が設けられ、上記第１及び第２の差込部の内側空間がポケットとして構成されていることを特徴とする冊子体のカバー。
【請求項２】
上記第１及び第２の差込部の少なくともいずれか一方は、少なくとも上記冊子体の表紙、裏表紙の差込口が位置する周縁部が綴じられた二重構造とされ、該二重構造によって構成される空間が、上記切目や切り抜きを開口部とするポケットとして構成されていることを特徴とする請求項１記載の冊子体のカバー。
【請求項３】
一方主面に印刷が施されている表紙材と、
軟質合成樹脂シート又は硬質合成樹脂シートからなるカバー本体の一方主面に、該カバー本体との間で上記表紙材の両端部が差し込まれる一対の袋状の空間を構成する第１及び第２の差込部とを備えたカバー部材と、
複数枚のページ要素からなる冊子体本体とを備え、
上記第１及び第２の差込部のいずれか、或いは両方には、切目や切り抜きからなる開口部が形成され、上記第１及び第２の差込部の内側空間がポケットとして構成されており、
上記表紙材、上記カバー部材及び上記冊子体本体が一体に綴じられていることを特徴とする冊子体。
【請求項４】
軟質合成樹脂シート又は硬質合成樹脂シートからなり、三方の周縁部が綴じられて袋状とされるとともに、開口している残りの一方の周縁部に上記開口を綴じるための蓋部が設けられているラミネート部と、
該ラミネート部内に挿入される表紙用紙片とを備えることを特徴とする冊子体の表紙材。
【請求項５】
上記ラミネート部の内面側には、幅方向に形成される切目や切り抜きからなる開口部が設けられ、上記ラミネート部と該ラミネート部内に挿入された表紙用紙片との間の空間がポケットとして構成されていることを特徴とする請求項４記載の冊子体の表紙材。
【請求項６】
軟質合成樹脂シート又は硬質合成樹脂シートからなり、三方の周縁部が綴じられて袋状とされるとともに、開口している残りの一方の周縁部に上記開口を綴じるための蓋部が形成されているラミネート部内に、一方主面に印刷が施されている表紙用紙片が挿入されてなる表紙材と、
複数枚のページ要素からなる冊子体本体とを備え、
上記表紙材と上記冊子本体とが綴じられてなることを特徴とする冊子体。
【請求項７】
一方主面に印刷が施されている表紙用紙片と、
該表紙用紙片の一方主面に貼り付けられる軟質合成樹脂シート又は硬質合成樹脂シートと、紙の一方面に軟質合成樹脂シート又は硬質合成樹脂シートが貼り付けられてなり、紙側の面が上記表紙用紙片の他方主面に袋貼りされるラミネート紙とからなるラミネート部を備えることを特徴とする冊子体の表紙材。
【請求項８】
上記ラミネート紙には、幅方向に形成される切目や切り抜きからなる開口部が設けられ、上記ラミネート紙と該ラミネート紙と袋貼りされた上記表紙用紙片との間の空間がポケットとして構成されていることを特徴とする請求項７記載の冊子体の表紙材。
【請求項９】
印刷が施されている表紙用紙片の一方主面側に軟質合成樹脂シート又は硬質合成樹脂シートが貼り付けられるとともに、他方主面側に紙の一方面に軟質合成樹脂シート又は硬質合成樹脂シートが貼り付けられたラミネート紙が紙側において上記表紙用紙片と袋貼りされてなる表紙材と、
複数枚のページ要素からなる冊子体本体とを備え、
上記表紙材と上記冊子本体とが綴じられてなることを特徴とする冊子体。
【請求項１０】
複数枚分の所定サイズの表紙用紙片が含まれる大きさの表紙用紙片原紙の一方主面に、複数枚分の表紙用の印刷を施す工程と、
上記表紙用紙片原紙の一方主面に、上記表紙用紙片原紙と同サイズ、或いは略同サイズの軟質合成樹脂シート又は硬質合成樹脂シートを貼り付ける工程と、
上記表紙用紙片原紙の他方主面に、上記所定サイズの表紙用紙片における周縁部にあたる部分のみを貼着部として、上記表紙用紙片原紙と同サイズ、或いは略同サイズの紙に軟質合成樹脂シート又は硬質合成樹脂シートを貼り付けてなるラミネート紙シートを貼り付ける工程と、
上記軟質合成樹脂シート又は硬質合成樹脂シート、及び上記ラミネート紙シートが貼り付けられた上記表紙用紙片原紙を、上記所定サイズの複数枚の表紙用紙片に裁断する工程を有することを特徴とする冊子体の表紙材の製造方法。
【請求項１１】
一方主面に印刷が施されている表紙用紙片と、
該表紙用紙片を挟み込む一対の軟質合成樹脂シート又は硬質合成樹脂シートからなるラミネート部と、
該ラミネート部の上記表紙用紙片の他方主面側に取り付けられるポケット部材とを備えることを特徴とする冊子体の表紙材。
【請求項１２】
一方主面に印刷が施されている表紙用紙片が、一対の軟質合成樹脂シート又は硬質合成樹脂シートからなるラミネート部で挟み込まれるとともに、該ラミネート部の上記表紙用紙片の他方主面側にポケット部材が取り付けられてなる表紙材と、
複数枚のページ要素からなる冊子体本体とを備え、
上記表紙材と上記冊子本体とが綴じられてなることを特徴とする冊子体。
【請求項１３】
上記表紙用紙片の一方主面には、発注者が印刷を望む写真やイラスト、文章等の各要素を上記発注者が任意でレイアウトしたオリジナルのデザインの印刷が施されており、
上記オリジナルのデザインは、上記発注者による任意のレイアウトに対応して、受注者がパーソナルコンピュータ上で上記レイアウトを実現する操作を行って上記表紙用紙片に印刷されることを特徴とする請求項４、５、７、８又は１１いずれか１項記載の冊子体の表紙材。
【請求項１４】
上記表紙用紙片の一方主面には、発注者が印刷を望む写真やイラスト、文章等の各要素を上記発注者が任意でレイアウトしたオリジナルのデザインの印刷が施されており、
上記オリジナルのデザインは、上記発注者による任意のレイアウトに対応して、受注者がパーソナルコンピュータ上で上記レイアウトを実現する操作を行って上記表紙用紙片に印刷されることを特徴とする請求項３、６、９又は１２いずれか１項記載の冊子体。
【発明の詳細な説明】
【技術分野】
【０００１】
本発明は、ノート、手帳等の冊子体のカバー、冊子体の表紙材及び冊子体に関し、さらにはこの表紙材の製造方法に関する。
【背景技術】
【０００２】
従来から、ノート、手帳等の冊子体の表紙及び裏表紙の表面の汚れや傷つき、表紙等になされた印刷のかすれを防止し、冊子体自体の強度、耐性の向上、及び印刷面の保護の目的で、その全表面を覆うカバーを上記冊子体に取り付けることが一般に行われている。そして、このようなカバーは、筆記用具やプリント、レシート等を収納し、一緒に持ち運びできるように、その内面側に他物品収納用のポケットが取り付けられているものが提供されている。このようなポケットは、裏表紙の差込部側に設けられることが多く、また、その構成は冊子体の上下方向に併せて上方側に開口部、下方側に底部が位置するものがほとんどである。
【０００３】
一方、上述したノート、手帳等の冊子体にあっては、表紙及び裏表紙の表面の汚れや傷つき等を防止し、冊子体自体の強度、耐性の向上、及び印刷面の保護の目的で、冊子体の表紙材自体をビニールシート等の合成樹脂シートによってラミネートしたものが提供されている。
【発明の開示】
【発明が解決しようとする課題】
【０００４】
ところで、ノート等の冊子体にあっては、その用途によって右開き式のものと左開き式のものがある。これらの両方に上述したカバーを、該カバーの表紙側差込部に表紙を、裏表紙側差込部に裏表紙を差し込んで装着させた場合、冊子体の表紙と裏表紙の位置が逆になるため、カバー自体を１８０°回転させる、すなわち上下方向を逆にする必要がある。しかしながら、カバーに取り付けられているポケットは、上述したように冊子体の上下方向に併せて上方側に開口部、下方側に底部が位置しているものがほとんどであるため、カバーの上下方向を逆にして冊子体に取り付けた場合には開口部が下方側に、底部が上方側に位置するようになり、ポケットとして使用できなくなってしまう。
【０００５】
また、冊子体自体にあっては、近年、需要者のニーズは多様化しており、一般に販売されているデザインではなく、自分のオリジナルのデザイン、例えば自分や家族等のスナップ写真や文章等が自分の望むレイアウトで印刷されている表紙を有するような、より個性的且つ個別的なものに対する需要が強まっている。そして、このような冊子体に対しては、その表紙が自分のオリジナルのデザインであり、需用者としてはより長く大切に使っていきたいということもあり、上述した強度、耐性の向上、及び印刷面の保護という要請もより強くなっている。
【０００６】
さらに、上述したようなオリジナルの冊子体に関しては、需用者一人一人のニーズに対応してオリジナル性の高いものを作製することが難しく、対応するようにした場合であっても製造コストが高くなるという問題があるのが現状である。
【０００７】
そこで、本発明は、強度、耐性を向上させるとともに、印刷面を保護し、右開き式と左開き式の両方の冊子体に装着させることが可能な冊子体のカバー、並びに高い強度、耐性を有し、オリジナル性も高く安価な冊子体の表紙材及び冊子体、並びに冊子体の表紙材の製造方法を提供することを目的とする。
【課題を解決するための手段】
【０００８】
上述した目的を達成する本発明に係る冊子体のカバーは、軟質合成樹脂シート又は硬質合成樹脂シートからなるカバー本体と、該カバー本体の一方主面に、上記カバー本体との間で冊子体の表紙、裏表紙が差し込まれる一対の袋状の空間を構成する第１及び第２の差込部とを備える。そして、上記第１及び第２の差込部のいずれか、或いは両方には、幅方向に形成される切目や切り抜きからなる開口部が設けられ、上記第１及び第２の差込部の内側空間がポケットとして構成されていることを特徴とする。
【０００９】
上述した構成を有する本発明に係る冊子体のカバーでは、冊子体に装着させることで、その表紙及び裏表紙の印刷面が保護されるとともに、強度、耐性が向上する。
【００１０】
また、本発明では、第１及び第２の差込部に設けられた切目を開口とする第１及び第２の差込部とカバー本体との間の空間を使用してポケットが構成されている。したがって、本発明によれば、１８０°回転させて上下位置を逆転させた場合であっても、切目よりも下方側にポケットとして機能し得る空間が存在することになるため、例えば右開き式の冊子体と左開き式の冊子体の何れにも装着が可能となる。
【００１１】
本発明に係る冊子体は、一方主面に印刷が施されている表紙材と、軟質合成樹脂シート又は硬質合成樹脂シートからなるカバー本体の一方主面に、該カバー本体との間で上記表紙材の両端部が差し込まれる一対の袋状の空間を構成する第１及び第２の差込部とを備えたカバー部材と、複数枚のページ要素からなる冊子体本体とを備える。そして、上記第１及び第２の差込部のいずれか、或いは両方には、切目や切り抜きからなる開口部が形成され、上記第１及び第２の差込部の内側空間がポケットとして構成されており、上記表紙材、上記カバー部材及び上記冊子体本体が一体に綴じられていることを特徴とする。
【００１２】
また、本発明に係る冊子体の表紙材は、軟質合成樹脂シート又は硬質合成樹脂シートからなり、三方の周縁部が綴じられて袋状とされるとともに、開口している残りの一方の周縁部に上記開口を綴じるための蓋部が設けられているラミネート部と、該ラミネート部内に挿入される表紙用紙片とを備えることを特徴とする。そして、本発明に係る冊子体は、上記構成の表紙材と、複数枚のページ要素からなる冊子体本体とを備えることを特徴とする。
【００１３】
さらに、本発明に係る他の構成の冊子体の表紙材は、一方主面に印刷が施されている表紙用紙片と、該表紙用紙片の一方主面に貼り付けられる軟質合成樹脂シート又は硬質合成樹脂シートと、紙の一方面に軟質合成樹脂シート又は硬質合成樹脂シートが貼り付けられてなり、紙側の面が上記表紙用紙片の他方主面に袋貼りされるラミネート紙とからなるラミネート部を備えることを特徴とする。そして、本発明に係る他の構成の冊子体は、上記構成の表紙材と、複数枚のページ要素からなる冊子体本体とを備えることを特徴とする。
【００１４】
上述の冊子体の表紙材を製造する本発明に係る表紙材の製造方法は、複数枚分の所定サイズの表紙用紙片が含まれる大きさの表紙用紙片原紙の一方主面に、複数枚分の表紙用の印刷を施す工程と、上記表紙用紙片原紙の一方主面に、上記表紙用紙片原紙と同サイズ、或いは略同サイズの軟質合成樹脂シート又は硬質合成樹脂シートを貼り付ける工程と、上記表紙用紙片原紙の他方主面に、上記所定サイズの表紙用紙片における周縁部にあたる部分のみを貼着部として、上記表紙用紙片原紙と同サイズ、或いは略同サイズの紙に軟質合成樹脂シート又は硬質合成樹脂シートを貼り付けてなるラミネート紙シートを貼り付ける工程と、上記軟質合成樹脂シート又は硬質合成樹脂シート、及び上記ラミネート紙シートが貼り付けられた上記表紙用紙片原紙を、上記所定サイズの複数枚の表紙用紙片に裁断する工程を有することを特徴とする。
【００１５】
また、本発明に係る他の構成の冊子体の表紙材は、一方主面に印刷が施されている表紙用紙片と、該表紙用紙片を挟み込む一対の軟質合成樹脂シート又は硬質合成樹脂シートからなるラミネート部と、該ラミネート部の上記表紙用紙片の他方主面側に取り付けられるポケット部材とを備えることを特徴とする。そして、本発明に係る他の構成の冊子体は、上記構成の表紙材と、複数枚のページ要素からなる冊子体本体とを備えることを特徴とする。
【００１６】
上述した構成を有する本発明に係る冊子体の表紙材及び冊子体では、軟質合成樹脂シート又は硬質合成樹脂シートによって発注者が印刷を望む写真やイラスト、文章等の各要素を上記発注者が任意でレイアウトしたオリジナルのデザイン等の印刷が施された表紙用紙片がカバーされる。
【００１７】
また、本発明の表紙材の製造方法によれば、より簡易な方法で、ポケットを有するとともに表紙用紙片がカバーされた複数に同じデザインの印刷が施される量産タイプの表紙材が製造可能となる。
【００１８】
上記の各本発明における表紙用紙片には、一方主面に、発注者が印刷を望む写真やイラスト、文章等の各要素を上記発注者が任意でレイアウトしたオリジナルのデザインの印刷を施してもよい。このオリジナルのデザインは、上記発注者による任意のレイアウトに対応して、受注者がパーソナルコンピュータ上で上記レイアウトを実現する操作を行って上記表紙用紙片に印刷される。
【発明の効果】
【００１９】
本発明に係る冊子体のカバーによれば、冊子体に装着させることで、その表紙及び裏表紙の印刷面を保護することができるとともに、強度、耐性を向上させることができ、さらには、１８０°回転させて上下位置を逆転させた場合であっても、切目よりも下方側にポケットとして機能し得る空間が存在するため、例えば右開き式の冊子体と左開き式の冊子体の何れにも装着をすることができるようになる。
【００２０】
また、本発明に係る冊子体の表紙材及び冊子体によれば、軟質ビニールシート又は硬質ビニールシートにより、印刷が施された表紙用紙片をカバーするため、冊子体の表紙の印刷面を保護することができるとともに、その強度、耐性を向上させることができる。
【００２１】
さらに、本発明の表紙材の製造方法によれば、より簡易な方法で、ポケットを有するとともに表紙用紙片の強度、耐性が向上した量産タイプの表紙材を製造することができるようになり、ひいては、この表紙材を使用して簡易に強度、耐性が向上した冊子体を製造することができるようになる。
【００２２】
また、本発明では、特に上述の表紙の印刷面にオリジナル性の高いデザインの印刷を施す場合においては、受注者がパーソナルコンピュータ上でレイアウトを実現する操作を行ってなされるため、例えばまず平版を作製し、この平版を転写することで印刷を行う従来の方法に比して簡易且つ安価に、オリジナル性の高いデザインが印刷された表紙材、及びこの表紙材を有する一人一冊からの冊子体を作製することができるようになる。
【発明を実施するための最良の形態】
【００２３】
以下、本発明に係る冊子体のカバー、冊子体の表紙材及び冊子体の具体的な実施の形態について図面を参照しながら詳細に説明する。なお、以下の説明においては、本発明を冊子体の一具体例であるノートに適用した場合について説明する。
【００２４】
図１は、第１の実施形態に係るノートカバー１であり、該ノートカバー１は、シート状の軟質又は硬質の合成樹脂、例えば軟質ビニール又は硬質ビニール（以下、単に軟質ビニールシート又は硬質ビニールシートと称する。）からなるカバー本体１ａが、後述するように装着されるノートの見開きの状態とした場合の形状である、例えばＡ４判サイズやＢ４判サイズと略同一サイズ、すなわちノートにおける表紙から背表紙を経て裏表紙へと亘る形状に形成されている。そして、このノートカバー１には、ノートに装着した場合におけるカバー本体１ａの該ノートに面する主面（以下、内面と称する。これに対して、この内面と逆側の主面を表面と称する。）に、ノートの表紙、裏表紙が差し込まれる袋状の第１及び第２の表紙等差込部２、３が設けられている。また、ノートカバー１には、ノートの背表紙に接し且つ該ノートカバー１の折れ線となってカバー本体１ａにおける表紙被覆部分と裏表紙被覆部分とを分ける折りスジ４が形成されている。
【００２５】
第１及び第２の表紙等差込部２、３は、上記折りスジ４を挟んで対向するカバー本体１ａの両端部に設けられている。なお、これら第１及び第２の表紙等差込部２、３は、カバー本体１ａと一体に、具体的にはカバー本体１ａの両端を折り返して、この折り返した周縁部とこの周縁部に隣接している周縁部を圧着等して設けてもよく、また、カバー本体１ａとは別の軟質ビニールシート又は硬質ビニールシートをカバー本体１ａの両端部に圧着等して設けてもよい。
【００２６】
第１の表紙等差込部２は、ノートカバー１の一方端部側に、折りスジ４側以外の三方の周縁部が、カバー本体１ａ側の周縁部と重ねて綴じられることによって設けられている。この第１の表紙等差込部２は、カバー本体１ａ側の周縁部と重なっていない上記折りスジ４側の周縁部が、後述するノートの表紙或いは裏表紙を差し込む際の差込口２ａとされている。第１の表紙等差込部２は、ノートカバー１の内面の半分と略同等の幅とされ、その略中央に幅方向、すなわち上記折りスジ４と直交する方向に亘って形成されている切目５が設けられている。この切目５の両端部分は、ポケット開閉時におけるシートの裂けを防止するために、それぞれ円形状に切り抜かれている。
【００２７】
第２の表紙等差込部３は、ノートカバー１の他方端部側に、上記第１の表紙等差込部２と同様に、折りスジ４側以外の三方の周縁部が、カバー本体１ａ側の周縁部と重ねて綴じられることによって設けられている。この第２の表紙等差込部３は、カバー本体１ａ側の周縁部と重なっていない上記折りスジ４側の周縁部が、ノートの表紙或いは裏表紙を差し込む際の差込口３ａとされている。第２の表紙等差込部３は、上記第１の表紙等差込部２に比して幅が狭く、ノートカバー１の内面の半分の約３分の１程度の幅とされ、その略中央に第２の表紙等差込部３が楕円形状に切り抜かれてなる穴部６が設けられている。また、第２の表紙等差込部３には、上下方向の両端にそれぞれ幅方向に亘って形成された切目７ａ、７ｂが設けられている。これら切目７ａ、７ｂの両端部分は、上記切目５と同様に、ポケット開閉時におけるシートの裂けを防止するために、それぞれ円形状に切り抜かれている。
【００２８】
また、第２の表紙等差込部３は、図２に示すように、差込口３ａとなる周縁部に、第２の表紙等差込部３の内側に入り込み、該第２の表紙等差込部３とカバー本体１ａとの間に介在される折り返し部８が設けられている。この折り返し部８は、各周縁部が第２の表紙等差込部３との間で綴じられることで該第２の表紙等差込部３を二重構造とし、該二重構造によって第２の表紙等差込部３に袋状の空間を構成するものであり、カバー本体１ａとはノートの表紙が差込可能なように離間するように設けられている。
【００２９】
上述した第１及び第２の表紙等差込部２、３には、切目５、７ａ、７ｂ及び穴部６をそれぞれ設けることで、第１の表紙等差込部２内側の空間と、第２の表紙等差込部３と折り返し部８との間の空間とに、切目５、７ａ、７ｂ及び穴部６を開口部とするポケットが構成される。このように、ノートカバー１と一体に複数のポケットが構成されることで、例えば鉛筆や物差し等の収納が可能となり、これらとノートとを一緒に持ち運び等することができるようになる。なお、切目７ａ、７ｂは、幅が狭い第２の表紙等差込部３に設けられてはいるが、上述のように折り返し部８が設けられているため、収納物の第２の表紙等差込部３からの飛び出し、及びこの飛び出し後の脱落が防止されている。また、切目５には、該切目５において分離されている第１の表紙等差込部２を開いて、収納物を入れやすくするように、中央部分が円形状に切り欠かれている。
【００３０】
上述したようなノートカバー１においては、第１の表紙等差込部２の切目５は比較的幅広に形成されているため、例えば封筒や折り畳んだプリント等、幅のあるものであっても安定して収納することができ、また、第２の表紙等差込部３の穴部６及び切目７ａ、７ｂは鉛筆等の細いものを収納するのに適している。特に、第２の表紙等差込部３においては、このように複数の開口を設けることで、例えば短くなってしまった鉛筆等、様々な長さのものが収納できるようになる。
【００３１】
上述した構成のノートカバー１の使用例について説明する。ノートカバー１は、ノート表紙部分に筆記用具を収納できたら便利であるため、図３に示すように、ノートＮの表紙ＮＣを筆記用具等が収納可能なポケットを有する第２の表紙等差込部３に差し込み、同様に裏表紙ＮＢを第１の表紙等差込部２に差し込むことによって、ノートＮに対して装着される。このようにノートカバー１を装着させることで、ノートＮの表紙ＮＣ及び裏表紙ＮＢの印刷面を保護することができるようになるとともに、その強度、耐性を向上させることもできる。また、第１及び第２の表紙等差込部２、３にそれぞれポケットとして作用する切目５、７ａ、７ｂ及び穴部６が設けられているため、文房具等の収納を同時に行えるようになる。
【００３２】
また、ノートＮには、図３に示すような右開き式のものと、これとは逆の左開き式のものがある。そして、左開き式のノートにおいても、ノート表紙部分に筆記用具を収納できたら便利である。上述したようなノートカバー１では、同図に示す右開き式のノートだけでなく、左開き式のノートにも表紙側に第２の表紙等差込部３を位置させて装着させることができる。具体的には、ノートカバー１は、右開き式のノートＮに装着させる図３の状態から１８０°回転させる、すなわち上下位置を逆転させることで、左開き式のノートの表紙側に第２の表紙等差込部３を位置させて、ノートに装着させることができるようになる。ノートカバー１にあっては、このように１８０°回転させた場合であっても、切目５、７ａ、７ｂ及び穴部６よりも下方側にポケットとして機能し得る空間があるため、右開き式のノートと左開き式のノートの何れに装着された場合であっても、上述したような鉛筆や封筒等を収納することができる。
【００３３】
上述したノートカバー１は、ノートＮの表紙材のラミネート用としても用いることができる。具体的には、図４に示すように、ノートＮの表紙ＮＣ及び裏表紙ＮＢを構成する表紙材Ｎ１と、罫線等が印刷され、或いは白紙とされた複数枚のページ要素からなってノートＮの中身を構成するノート本体Ｎ２とが分離されている状態において、表紙材Ｎ１に対してノートカバー１を取り付け、その状態でノートカバー１の表面側から、ノートカバー１、表紙材Ｎ１及びノート本体Ｎ２を綴じることによって、ノートカバー１が一体とされたノートＮを得ることができる。このようなノートＮにおいて、ノートカバー１、表紙材Ｎ１及びノート本体Ｎ２を綴じる際には、例えば糸綴じや針金綴じ、のり付け等従来から公知の方法が用いられる。
【００３４】
ところで、上述したようなノートカバー１が一体に綴じられたノートＮにおいては、表紙材Ｎ１に、その表面側にオリジナルの、例えばノートの製造依頼者や使用者等（以下、単に発注者と称する。）自身、又はノートの製造依頼者等が印刷を望む任意の写真や、オリジナルの文章、オリジナルのイラスト、模様等（以下、印刷素材と称して説明する。）、発注者による任意のデザインからなる印刷が施されたものを用い、オリジナルのノートとすることができる。例えば、同図に示すノートＮのように、表紙ＮＣ側に「○○ノート」や発注者側の名前等の文字、発注者の写真、図示はしていないが上記文字、写真部分以外の箇所に縞模様やチェック柄、イラスト等の模様、さらには所定の配色での印刷がなされる。
【００３５】
このようなノートＮの表紙材Ｎ１に印刷されるデザインは、発注者からの注文によって決定される。例えば、発注者は、該発注者のパーソナルコンピュータ（以下、パソコンと略称する。）や携帯電話等の端末機器から、インターネット等の情報通信ネットワークを介して、表紙材Ｎ１への印刷を希望する印刷素材や、そのレイアウト、例えば写真、イラスト、デジタルカメラ等で撮影された画像等の画像ファイルや文章等のテキストファイル、及びこれらのレイアウト、具体的には写真、イラスト、文章の文字の大きさやこれらの表紙材Ｎ１上における位置等の説明に関する情報等（以下、上記各ファイル及びレイアウトに関する情報等を含めてデザイン情報と称して説明する。）を、ノートの製造者（以下、受注者と称する。）側のパソコンに送信する。このようなインターネット等を介したデザイン情報の送信は、公知の方法により行われ、例えば受注者のホームページの注文フォームに上述したデザイン情報に関する必要事項等を入力してこのデータを送信する方法や、単に受注者に対してデザイン情報を記載し、添付ファイルとして添付した電子メールを送信する方法等がある。
【００３６】
また、上述のインターネット等を利用した注文以外にも、デザイン情報を受注者に対して郵送するようにしてもよい。このとき、写真や画像の印刷を希望する場合には、現像した写真自体や画像ファイルを格納した記録媒体（ＣＤ−ＲＯＭ等）を同封する。
【００３７】
そして、受注者は、上述したような種々の方法で発注者から受け取ったデザイン情報に基づいて、表紙材Ｎ１にデザイン情報通りの印刷を行う。この印刷は、受注者側のパソコンにてデザイン情報通りのレイアウト構成を行い、それをそのままプリンタ等の出力装置で出力（プリントアウト）することによって行われる。このように、表紙材Ｎ１は、パソコン上でのレイアウト構成等を経て、それをそのまま印刷するので、従来の方法、例えばまず平版を作製し、この平版を転写することによって印刷を行う場合に比して、簡易且つ安価に表紙材Ｎ１を得ることができる。
【００３８】
なお、上述の例では、ノートＮにオリジナルの表紙を用いたものについて説明したが、本実施形態では、複数に同じデザインの印刷が施される、いわゆる量産タイプの表紙材を用いてもよく、また、市販されているノートを表紙部分と本体部分とに分離し、その表紙部分にノートカバー１を取り付けて、それを再度本体部分と綴じることによって構成されるものであってもよい。そして、上述の量産タイプの表紙材を用いる場合には、その印刷は、上記のパソコン上でレイアウトしたものをそのまま印刷する方法で行うものであってもよく、平版を作製し、その平版を転写する方法、例えば一旦フィルムにデータを出力してから平版を出力するオフセット印刷や、直接印刷用の平版を出力するフィルムレスのＣＴＰ（Computer to Plate）印刷等により行うものであってもよい。
【００３９】
このように、上述したような簡易且つ安価に製造可能な表紙材Ｎ１を用いることによって、オリジナルの印刷が表紙に施されたオリジナルのノートＮを簡易且つ安価で製造することができるようになる。また、このようなノートＮは、パソコン上でのレイアウト構成という簡単な方法によって一人一人の発注者の注文に対応することも可能となり、また安価な方法により製造可能であるため、多数冊の製造はもちろん、一人一冊からの製造にも対応することが可能となる。
【００４０】
また、上述したノートＮは、表紙材Ｎ１にノートカバー１が一体に綴じられているため、表紙の印刷面を保護することができるようになるとともに、その強度、耐性を向上させることができる。さらには、使用し終わったノートＮからノートカバー１のみを取り外すことによって、例えば市販されている他のノートのノートカバーとしても再利用することができる。
【００４１】
次に、本発明の第２の実施形態について説明する。図５は、第２の実施形態に係るノートの表紙材１１であり、三方の周縁部が綴じられた袋状のラミネート部１２と、該ラミネート部１２内に挿入される紙等の表紙用紙片１３とによって構成されている。このような構成の表紙材１１は、同図中一点鎖線において折曲され、後述するノートの表紙及び裏表紙を構成する。
【００４２】
ラミネート部１２は、軟質ビニールシート又は硬質ビニールシートで形成され、その袋状とされた部分が、ノートの見開きの状態とした場合の形状である、例えばＡ４判サイズやＢ４判サイズと略同一サイズとされている。そして、綴じられていない一方の周縁部が、上記表紙用紙片１３が挿入される挿入口１２ａとされている。また、ラミネート部１２には、上記挿入口１２ａとされた周縁部に、表紙用紙片１３挿入後に挿入孔１２ａを閉じるための蓋部１２ｂが設けられている。この蓋部１２ｂは、挿入孔１２ａを閉じる際に、内側に折り畳まれる。
【００４３】
ラミネート部１２の内面には、一方の半分側に、その幅方向に亘って形成された切目１４が設けられている。また、ラミネート部１２の内面には、他方の半分側（蓋部１２ｂ側）に、蓋部１２ｂが設けられている周縁部近傍の略中央に穴部１５が、上下方向の両端に切目１６ａ、１６ｂが設けられている。これにより、表紙材１１には、これら切目１４、１６ａ、１６ｂ及び穴部１５を開口部とする複数のポケットが構成される。
【００４４】
表紙用紙片１３は、上記ラミネート部１２の袋状部分と同サイズであり、その一面にはノートの表紙となる印刷が施されている。この表紙用紙片１３には、上述した第１の実施形態における表紙材Ｎ１と同様に、ノートの発注者による任意のデザインからなる印刷がなされている。
【００４５】
上述した構成を有する表紙材１１は、図６に示すように、該表紙材１１と見開きした状態において同サイズで、且つ罫線等が印刷され、或いは白紙とされた複数枚のページ要素からなるノート本体１７を一緒に綴じ込むことでノートＮを構成する。このとき、同図に示すように、表紙材１１の蓋部１２ｂがノート本体１７側（内側）に折り畳まれているが、この折り畳まれた蓋部１２ｂは、持ち運び時等の未使用時においてはノート本体１７のページ要素間に挟んでノートＮのしおりとすることができる。
【００４６】
このような表紙材１１とノート本体１７の綴じ方は、例えば針金綴じ等、従来から公知の方法が用いられる。このように、簡易且つ安価に製造可能な表紙材１１を用いることによって、オリジナルの印刷が表紙に施されたオリジナルノートを簡易且つ安価で製造することができるようになる。
【００４７】
また、このようなオリジナルのノートＮは、パソコン上でのレイアウト構成という簡単な方法によって一人一人の発注者の注文に対応することも可能となり、また安価な方法により製造可能であるため、多数冊の製造はもちろん、一人一冊からの製造にも対応することが可能となる。
【００４８】
さらに、上述した表紙材１１及びこの表紙材１１を使用したノートＮは、ノートの表紙の印刷面を保護することができるようになるとともに、その強度、耐性を向上させることもできる。
【００４９】
なお、上述した構成の表紙材１１は、ラミネート部１２の内面側に切目１４、１６ａ、１６ｂや穴部１５を設けることでポケットを構成しているが、本発明はこのようなものに限定されず、袋状のポケット部材を貼り付ける等して設けてもよい。
【００５０】
また、上述の例では、オリジナルの印刷が施された表紙材１１について説明したが、本実施形態では、表紙材１１が、複数に同じデザインの印刷が施される量産タイプのであってもよく、このような場合には、表紙用紙片１３への印刷を、上記のパソコン上でレイアウトしたものをそのまま印刷する方法で行うものであっても、平版を作製し、その平版を転写する方法により行うものであってもよい。
【００５１】
次に、本発明の第３の実施形態について説明する。図７は、第３の実施形態に係るノートの表紙材２１であり、印刷面を有する表紙用紙片２２と、この表紙用紙片２２の表裏に貼られるラミネート部材とからなる。このような構成の表紙材２１は、同図中一点鎖線において折曲され、後述するノートの表紙及び裏表紙を構成する。
【００５２】
表紙用紙片２２には、ノートの見開きの状態とした場合の形状である、例えばＡ４判サイズやＢ４判サイズと略同一サイズのものであり、上述した第１及び第２の実施形態と同様の印刷、すなわち発注者からのデザイン情報に基づいた印刷素材の印刷が施されている。このように、表紙用紙片２２は、上述したパソコン上でのレイアウト構成等を経て、それをそのまま印刷するので、従来の方法に比して、簡易且つ安価に表紙材２１を得ることができる。
【００５３】
ラミネート部材は、上記表紙用紙片２２の表面側に貼り付けられる軟質ビニールシート又は硬質ビニールシートと、内面側に貼り付けられる紙の一方面に軟質合成樹脂シート又は硬質合成樹脂シートが貼り付けられたラミネート紙２３とからなる。軟質ビニールシート又は硬質ビニールシート、及びラミネート紙は、ノートの見開きの状態とした場合の形状である、例えばＡ４判サイズやＢ４判サイズと略同一サイズのものである。表紙用紙片２２の表面側に貼り付けられる軟質ビニールシート又は硬質ビニールシートは、表紙用紙片２２の表面、すなわち印刷面の全面に亘って貼り付けられている。また、表紙用紙片２２の内面側に貼り付けられるラミネート紙２３は、同図中の斜線が付されている領域Ｂ、すなわち表紙用紙片２２の内面における周縁部のみが貼着される袋貼りによって貼り付けられている。このとき、ラミネート紙２３は、ビニールシートが貼られていない紙側の面において表紙用紙片２２と袋貼りされる。
【００５４】
ラミネート紙２３は、折曲部分を挟んだ一方の半分側に、幅方向に亘って形成された切目２４が設けられている。また、ラミネート紙２３は、他方の半分側に、周縁部近傍の略中央にＵ字状の切目２５が、上下方向の両端に上記切目２４と同一方向の直線状の切目２６ａ、２６ｂが設けられている。これにより、表紙材２１には、これら切目２４、２５、２６ａ、２６ｂを開口部とする複数のポケットが構成される。なお、上述の切目２４、２５、２６ａ、２６ｂは、表紙材２１において表紙用紙片２２とラミネート紙２３とが貼着される領域Ｂと重ならないように形成される。また、切目２４、２６ａ、２６ｂの両端部分は、ポケット開閉時における裂けを防止するために、それぞれ円弧状に切目が形成されている。さらに、切目２５には、その略中央がポケットの開閉を容易にするために、Ｕ字状を呈するように切られている。
【００５５】
上記構成の表紙材２１は、以下のようにして作製される。なお、本例では、見開きＡ４判の表紙材２１を作製する場合について説明する。
【００５６】
まず、図８に示すように、表紙用紙片２２の原紙となるＡ全判紙３１を用意する。このＡ全判紙３１は、同図中点線にて示すように、Ａ４判の表紙材２１に使用する表紙用紙片２２の８面分が含まれる大きさを有する表紙用紙片用の原紙である。そして、このＡ全判紙３１の一方主面（表面側）に、表紙用の印刷が施される。この印刷は、表紙用紙片２２用の印刷を８面分、上記Ａ全判紙３１の表面に対して行う。また、Ａ全判紙３１の他方主面（内面側）には、後述するようにラミネート紙シートが袋貼りされる部位以外の部分、具体的には同図中斜線にて示す領域Ｂの内側の領域にニス塗り（ニス印刷）が施される。
【００５７】
次に、Ａ全判紙３１の表面、すなわち印刷面側にＡ全判紙３１と同サイズのビニールシート３２がビニール貼りされる。このＡ全判紙３１とビニールシート３２との貼り付けは、Ａ全判紙３１の表面の全面に、例えば接着剤やのり等が塗布等されて、圧着や熱溶着等、従来から公知の方法により行われる。
【００５８】
次に、Ａ全判紙３１の内面に、このＡ全判紙３１と同サイズで、且つ予め各切目の形抜きがなされたラミネート紙シート３３が袋貼りされる。具体的には、まず、Ａ全判紙３１の内面全面にのり等が塗布され、その上からラミネート紙シート３３が貼り付けされる。このとき、Ａ全判紙３１内面側には、上述した領域Ｂの内側にニス塗りが施されており、このニスが塗布されたのり等をはじくため、この部分においてはＡ全判紙３１とラミネート紙シート３３とが貼着されず、ニスが塗られていない領域Ｂ、すなわち表紙用紙片２２における周縁部にあたる部分のみにおいてＡ全判紙３１とラミネート紙シート３３とが貼着される。このように、一枚の表紙用紙片２２の周縁部である領域Ｂのみで貼着されることにより、表紙用紙片２２とラミネート紙シート２３とが袋貼りされた表紙材２１が作製される。なお、このような表紙材２１を作製する際に、上述したようにＡ全判紙３１の内面全面にのり等を塗布してラミネート紙シート３３の貼り付けを行うが、各切目が上述したように穴が形成されないように丸抜きがない状態とされているため、ラミネート紙シート３３上にのり等がはみ出ることがない。
【００５９】
そして、Ａ全判紙３１の表裏にビニールシート３２及びラミネート紙シート３３が貼り付けられた状態で、同図中Ａ全判紙３１に付した点線に沿って８枚の表紙材２１に裁断され、分離される。このような製造方法は、特に、複数に同じデザインの印刷が施される量産タイプの表紙材を複数製造する際に有用である。なお、上述した製造方法は、表紙用紙片の原紙となる紙が小さいと、ビニール貼りが困難となるため、Ａ判であればＡ４判の表紙用紙片を２面分取れるＡ３判大以下、Ｂ判であればＢ４判の表紙用紙片を２面分取れるＢ３判大以下の原紙に対しては行えない。
【００６０】
上述した実施例においては、予め各切目が形抜きされているラミネート紙シート３３を用いているが、本発明はこれに限定されるものではなく、切目の形抜き前のラミネート紙シートを貼り付け、その後に切目の形抜きを行うものであってもよい。この後から行う切目の形抜きは、各表紙材毎の裁断時に同時に行うものであってもよく、その場合、表紙材２１間の裁断を行う刃と、各切目の形抜きを行う刃の高さを、切目１４の形抜きを行う刃が表紙材２１間の裁断を行う刃よりもより浅い裁断しか行えないような高さに調整することによって、表紙用紙片２２を傷つけずに、各表紙材２１の分離のための裁断と、切目１４の形抜きとを同時に行うことができるようになる。
【００６１】
上述した構成を有する表紙材２１は、上記各実施形態に係る表紙材と同様に、表紙材２１と同サイズのノート本体を一緒に綴じ込むことでノートを構成する。このような表紙材２１とノート本体の綴じ方は、例えば糸綴じや針金綴じ、糊付け等従来から公知の方法が用いられる。このように、簡易且つ安価に製造可能な表紙材２１を用いることによって、オリジナルの印刷が表紙に施されたオリジナルノートを簡易且つ安価で製造することができるようになる。
【００６２】
また、このようなオリジナルのノートは、パソコン上でのレイアウト構成という簡単な方法によって一人一人の発注者の注文に対応することも可能となり、また安価な方法により製造可能であるため、多数冊の製造はもちろん、一人一冊からの製造にも対応することが可能となる。
【００６３】
さらに、上述した表紙材２１及びこの表紙材２１を使用したノートは、ノートの表紙の印刷面を保護することができるようになるとともに、その強度、耐性を向上させることもできる。
【００６４】
また、本実施形態では、表紙材２１が、複数に同じデザインの印刷が施される量産タイプのであってもよく、このような場合には、表紙用紙片２２への印刷を、上記のパソコン上でレイアウトしたものをそのまま印刷する方法で行うものであっても、平版を作製し、その平版を転写する方法により行うものであってもよい。
【００６５】
そして、量産タイプの表紙材を作製する場合には、上述した一度に多面に亘る表紙用紙片へのラミネート紙シートの貼り付けを行う製造方法を実施することによってより安価に表紙材２１、及びこの表紙材２１を用いたノートを製造することができるようになる。
【００６６】
次に、本発明の第４の実施形態について説明する。図９は、第４の実施形態に係るノートの表紙材４１であり、印刷面を有する表紙用紙片４２と、該表紙用紙片４２を挟み込んでなるラミネート部４３と、ラミネート部４３の一方主面、具体的には上記表紙用紙片４２の印刷面が位置する側とは逆側の面に取り付けられたポケット部材４４とによって構成されている。このような構成の表紙材４１は、同図中一点鎖線において折曲され、後述するノートの表紙及び裏表紙を構成する。
【００６７】
表紙用紙片４２は、ノートの見開きの状態とした場合の形状である、例えばＡ４判サイズやＢ４判サイズと略同一サイズのものであり、上述各実施形態と同様の印刷、すなわち発注者からのデザイン情報に基づいた印刷素材の印刷が施されている。このように、表紙用紙片４２は、上述したパソコン上でのレイアウト構成等を経て、それをそのまま印刷するので、従来の方法に比して、簡易且つ安価に表紙材４１を得ることができる。
【００６８】
ラミネート部４３は、上記表紙用紙片４２を挟み込む一対の軟質ビニールシート又は硬質ビニールシートからなる。これら一対の軟質ビニールシート又は硬質ビニールシートは、ノートの見開きの状態とした場合の形状である、例えばＡ４判サイズやＢ４判サイズと略同一サイズのものである。
【００６９】
ポケット部材４４は、例えば軟質ビニールシートにて形成されており、同図に示すように、方形の三方の周縁部が綴じられた袋状とされている。そして、綴じられていない一方の周縁部が表紙材４１の上方を向けて表紙材４１のラミネート部４３に取り付けられている。なお、本例にあっては、ポケット部材４４は、ラミネート部４３において同図中左側に位置して取り付けられているが、このような構成に限定されるものではなく、図中右側に取り付けても、左右両側に取り付けてもよい。
【００７０】
上述した構成を有する表紙材４１は、各実施形態に係る表紙材と同様に、表紙材４１と同サイズのノートのノート本体を一緒に綴じ込むことでノートを構成する。このような表紙材４１とノート本体の綴じ方は、例えば糸綴じや針金綴じ、糊付け等従来から公知の方法が用いられる。このように、簡易且つ安価に製造可能な表紙材４１を用いることによって、オリジナルの印刷が表紙に施されたオリジナルノートを簡易且つ安価で製造することができるようになる。
【００７１】
また、このようなノートは、パソコン上でのレイアウト構成という簡単な方法によって一人一人の発注者の注文に対応することも可能となり、また安価な方法により製造可能であるため、多数冊の製造はもちろん、一人一冊からの製造にも対応することが可能となる。
【００７２】
さらに、上述した表紙材４１及びこの表紙材４１を使用したノートは、ノートの表紙の印刷面を保護することができるようになるとともに、その強度、耐性を向上させることもできる。
【００７３】
また、上述の例では、オリジナルの印刷が施された表紙材４１について説明したが、本実施形態では、表紙材４１が、複数に同じデザインの印刷が施される量産タイプのであってもよく、このような場合には、表紙用紙片４２への印刷を、上記のパソコン上でレイアウトしたものをそのまま印刷する方法で行うものであっても、平版を作製し、その平版を転写する方法により行うものであってもよい。
【００７４】
上記各実施の形態にあっては、本発明をノートに適用した例について説明したが、本発明はこれに限定されるものではなく、他の冊子体、例えば手帳等に適用するものであってもよい。
【００７５】
このように本発明は、上述した実施形態の如き構成に限定されるものではなく、その趣旨を逸脱しない範囲で適宜変更が可能であることはいうまでもない。
【図面の簡単な説明】
【００７６】
【図１】本発明の第１の実施形態に係るノートカバーの平面図である。
【図２】同ノートカバーの図１中Ａ−Ａ線における断面図である。
【図３】同ノートカバーがノートに装着される状態を示す斜視図である。
【図４】同ノートカバーが表紙材と一体とされるノートの分解斜視図である。
【図５】本発明の第２の実施形態に係る表紙材の平面図である。
【図６】同表紙材を使用したノートの斜視図である。
【図７】本発明の第３の実施形態に係る表紙材の平面図である。
【図８】同表紙材の製造に際する袋貼り工程を説明するための図である。
【図９】本発明の第４の実施形態に係る表紙材の平面図である。
【符号の説明】
【００７７】
１  ノートカバー，２  第１の表紙等差込部，３  第２の表紙等差込部，４  折りスジ，５、７ａ、７ｂ  切目，６  穴部，８  折り返し部，１１、２１、４１  表紙材，１２、４３  ラミネート部，１３、２２、４２  表紙用紙片，２３  ラミネート紙，Ｎ  ノート
【図１】
2005035192.tif 000003
【図２】
2005035192.tif 000004
【図３】
2005035192.tif 000005
【図４】
2005035192.tif 000006
【図５】
2005035192.tif 000007
【図６】
2005035192.tif 000008
【図７】
2005035192.tif 000009
【図８】
2005035192.tif 000010
【図９】
2005035192.tif 000011